【手続補正書】
【提出日】平成26年3月27日(2014.3.27)
【手続補正１】
【補正対象書類名】特許請求の範囲
【補正対象項目名】全文
【補正方法】変更
【補正の内容】
【特許請求の範囲】
【請求項１】
第１方向に延びた第１ゲート配線および第２ゲート配線と、前記第１方向と交差する第２方向に延びたソース配線と、前記第１ゲート配線と前記第２ゲート配線との間に配置され、前記第２方向に延びた主画素電極を含む画素電極と、を備えた第１基板と、
前記主画素電極を挟んだ両側で前記主画素電極と略平行に延びた共通電極を有する第２基板と、
前記第１基板と前記第２基板との間に保持された液晶分子を含む液晶層と、を備え、
前記第１ゲート配線と前記第２ゲート配線との少なくとも一方は、前記ソース配線と交差する位置において前記画素電極側の端部に設けられた凹部を備える液晶表示装置。
【請求項２】
前記対向基板は、少なくとも前記凹部と対向したブラックマトリクスをさらに備える請求項１記載の液晶表示装置。
【請求項３】
前記アレイ基板は、前記第１方向に延びるとともに、前記コンタクト部と重なる容量部と、前記ソース配線と交差する位置において前記第２方向における少なくとも一方の端部に設けられた第２凹部と、を含む補助容量配線をさらに備える請求項１または請求項２記載の液晶表示装置。
【請求項４】
前記凹部は略矩形状である請求項１乃至請求項３のいずれか１項記載の液晶表示装置。
【請求項５】
前記凹部の前記第１方向における幅は、前記凹部が開口した端部に近い部分ほど大きい請求項１乃至請求項３のいずれか１項記載の液晶表示装置。
【請求項６】
前記対向基板は、前記第２方向に並ぶ前記画素電極の間において前記主共通電極間に延びた副共通電極をさらに備える請求項１乃至請求項５のいずれか１項記載の液晶表示装置。
【請求項７】
第１方向に延びたゲート配線と、前記第１方向と交差する第２方向に延びたソース配線と、前記ゲート配線を挟んで前記第２方向に並んで配置され、前記第２方向と略平行に延びた主画素電極を含む第１画素電極および第２画素電極と、を備えた第１基板と、
前記主画素電極を挟んだ両側で前記主画素電極と略平行に延びた共通電極を有する第２基板と、
前記第１基板と前記第２基板との間に保持された液晶分子を含む液晶層と、を備え、
前記ゲート配線は、前記ソース配線と交差する位置において、前記第２方向における端部の少なくとも前記第１画素電極側に設けられた凹部を備えている液晶表示装置。
【請求項８】
前記対向基板は、少なくとも前記凹部と対向したブラックマトリクスをさらに備えている請求項７記載の液晶表示装置。
【請求項９】
前記アレイ基板は、前記ゲート配線と略平行に延びるとともに、前記コンタクト部と重なる容量部を含む補助容量線をさらに備え、
前記補助容量線は、前記ソース配線と交差する位置において、前記前記第２方向における端部の少なくとも一方に設けられた第２凹部を備えている請求項７または請求項８記載の液晶表示装置。
【請求項１０】
前記補助容量線は前記ゲート配線の前記第２画素電極側において前記第２方向に並んで配置され、
前記ゲート配線は前記第２方向における端部の前記第１画素電極側に配置された前記凹部を有し、前記補助容量線は前記第２方向における端部の前記第２画素電極側に配置された前記第２凹部を有する請求項９記載の液晶表示装置。
【手続補正２】
【補正対象書類名】明細書
【補正対象項目名】０１２５
【補正方法】変更
【補正の内容】
【０１２５】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
以下に、本願出願の当初の特許請求の範囲に記載された発明を付記する。
［１］第１方向に延びた第１ゲート配線および第２ゲート配線と、前記第１方向と交差する第２方向に延びたソース配線と、前記第１ゲート配線と前記第２ゲート配線との間に配置され、前記第２方向に延びた主画素電極を含む画素電極と、を備えた第１基板と、
前記主画素電極を挟んだ両側で前記主画素電極と略平行に延びた共通電極を有する第２基板と、
前記第１基板と前記第２基板との間に保持された液晶分子を含む液晶層と、を備え、
前記第１ゲート配線と前記第２ゲート配線との少なくとも一方は、前記ソース配線と交差する位置において前記画素電極側の端部に設けられた凹部を備える液晶表示装置。
［２］前記対向基板は、少なくとも前記凹部と対向したブラックマトリクスをさらに備える［１］記載の液晶表示装置。
［３］前記アレイ基板は、前記第１方向に延びるとともに、前記コンタクト部と重なる容量部
と、前記ソース配線と交差する位置において前記第２方向における少なくとも一方の端部に設けられた第２凹部と、を含む補助容量配線をさらに備える［１］または［２］記載の液晶表示装置。
［４］前記凹部は略矩形状である［１］乃至［３］のいずれか１記載の液晶表示装置。
［５］前記凹部の前記第１方向における幅は、前記凹部が開口した端部に近い部分ほど大きい［１］乃至［３］のいずれか１記載の液晶表示装置。
［６］前記対向基板は、前記第２方向に並ぶ前記画素電極の間において前記主共通電極間に延びた副共通電極をさらに備える［１］乃至［５］のいずれか１記載の液晶表示装置。
［７］第１方向に延びたゲート配線と、前記第１方向と交差する第２方向に延びたソース配線と、前記ゲート配線を挟んで前記第２方向に並んで配置され、前記第２方向と略平行に延びた主画素電極を含む第１画素電極および第２画素電極と、を備えた第１基板と、
前記主画素電極を挟んだ両側で前記主画素電極と略平行に延びた共通電極を有する第２基板と、
前記第１基板と前記第２基板との間に保持された液晶分子を含む液晶層と、を備え、
前記ゲート配線は、前記ソース配線と交差する位置において、前記第２方向における端部の少なくとも前記第１画素電極側に設けられた凹部を備えている液晶表示装置。
［８］前記アレイ基板は、前記ソース配線と前記第２画素電極との電気的接続を切替えるスイッチング素子をさらに備える［７］記載の液晶表示装置。
［９］前記アレイ基板は、前記ソース配線と前記第１画素電極との電気的接続を切替えるスイッチング素子をさらに備える［７］記載の液晶表示装置。
［１０］前記対向基板は、少なくとも前記凹部と対向したブラックマトリクスをさらに備えている［７］乃至［９］のいずれか１記載の液晶表示装置。
［１１］前記アレイ基板は、前記ゲート配線と略平行に延びるとともに、前記コンタクト部と重なる容量部を含む補助容量線をさらに備え、
前記補助容量線は、前記ソース配線と交差する位置において、前記前記第２方向における端部の少なくとも一方に設けられた第２凹部を備えている［７］乃至［１０］のいずれか１記載の液晶表示装置。
［１２］前記補助容量線は前記ゲート配線の前記第２画素電極側において前記第２方向に並んで配置され、
前記ゲート配線は前記第２方向における端部の前記第１画素電極側に配置された前記凹部を有し、前記補助容量線は前記第２方向における端部の前記第２画素電極側に配置された前記第２凹部を有する［１１］記載の液晶表示装置。
［１３］前記凹部は略矩形状である［７］乃至［１２］のいずれか１記載の液晶表示装置。
［１４］前記凹部の前記第１方向における幅は、前記凹部が開口した端部に近い部分ほど大きい［７］乃至［１２］のいずれか１記載の液晶表示装置。
［１５］前記対向基板は、前記第２方向に並ぶ前記第１画素電極および前記第２画素電極の間において前記主共通電極間に延びた副共通電極をさらに備える［７］乃至［１４］のいずれか１記載の液晶表示装置。